(57)【要約】【課題】  巻取ドラムの軸線方向運動なしに、昇降コードを軸線方向に往復させて二重に、しかも隙間なく巻取ドラムに巻き取ることができる昇降コードの巻取装置を提供する。【解決手段】  ヘッドレール２に細長のガイド開口１４ａを設け、これに移動自在の移動駒１６を係合させる。昇降コード６は、巻取ドラム３の一端側から移動駒１６を自由に貫通して幕体Ｃ１に沿って下方へ伸びるように配する。巻取ドラム３の回転で、昇降コード６は当該巻取ドラム３の一端側から他端側へ向かって隙間なく巻き取られる。この昇降コード６の巻き位置の移動に応じて、移動駒１６がガイド開口１４ａに沿って一端から他端まで移動する。その後、昇降コード６の巻き位置と共に移動駒１６が折り返して、一端側へ移動し、昇降コード６は巻取ドラム３の一端側へ向かって隙間なく二重に巻き取られる。【選択図】  図３
2007285009.tif 000002
【特許請求の範囲】
【請求項１】
水平方向に延長するように設置され、幕体の上端が係止されるヘッドレールと、
このヘッドレールに、それの長軸と平行の軸周りに回転自在に支持される複数の巻取ドラムと、
前記ヘッドレールに支持され、前記巻取ドラムを回転させるように巻取ドラムに連結される操作手段と、
上端が前記巻取ドラムの軸方向一端側に連結され、中間が前記幕体の複数の挿通部に所定の上下間隔で挿通され、下端が前記幕体の下端部に係止される昇降コードと、を具備する昇降コード巻取装置において、
前記ヘッドレールには、前記巻取ドラムに対向する位置に、巻取ドラムの巻取幅に対応する長さを有する細長のガイド開口が設けられ、
このガイド開口には、その長手方向に沿って移動自在の移動駒が係合され、
前記昇降コードは、前記巻取ドラムの一端側から前記移動駒を自由に貫通して前記幕体に沿って下方へ伸びるように配され、
前記巻取ドラムの回転により当該巻取ドラムに、それの一端側から他端側へ向かって隙間なく順次巻き取られる前記昇降コードの巻き位置の移動に応じて、前記移動駒が前記ガイド開口に沿って前記巻取ドラムの他端まで移動した後、折り返して一端側へ移動しつつ、昇降コードが一端側へ向かって隙間なく少なくとも二重に巻き取られることを特徴とする幕体の昇降コード巻取装置。
【請求項２】
前記ヘッドレールが、前後に第１および第２の２つの前記幕体を係止するための前壁と後壁とを有し、
前記昇降コードが、前記第１の幕体に係止される第１の昇降コードと、前記第２の幕体に係止される第２の昇降コードとからなり、
前記巻取ドラムが、前記ヘッドレール内の前部にされる第１の巻取ドラムと、後部に支持される第２の巻取ドラムとからなり、第１の巻取ドラムには、前記第１の昇降コードの上端が係止され、第２の巻取ドラムには、前記第２の昇降コードの上端が係止され、
前記ガイド開口が、第１のガイド開口と第２のガイド開口とからなり、第１のガイド開口は、前記第１の巻取ドラムに対向して下方に開放する前記ヘッドレールに設けられ、第２のガイド開口は、前記第２の巻取ドラムに対向して、前記第２の幕体の上方において後方に開放するように前記ヘッドレールに設けられ、
前記移動駒が、前記第１のガイド開口に係合する第１の移動駒と、前記第２のガイド開口に係合する第２の移動駒とからなり、
前記第１の昇降コードは、前記第１の巻取ドラムの一端側から前記第１の移動駒を自由に貫通して前記第１の幕体の後面に沿って下方へ伸びるように配され、
前記第２の昇降コードは、前記第２の巻取ドラムの一端側から前記第２の移動駒を自由に貫通して前記第２の幕体の後面に沿って下方へ伸びるように配されることを特徴とする請求項１に記載の幕体の昇降コード巻取装置。
【請求項３】
水平方向に延長するように設置され、幕体の上端が係止されるヘッドレールと、
このヘッドレールに、それの長軸と平行の軸周りに回転自在に支持される複数の巻取ドラムと、
前記ヘッドレールに支持され、前記巻取ドラムを回転させるように巻取ドラムに連結される操作手段と、
上端が前記巻取ドラムの軸方向一端側に連結され、中間が前記幕体の複数の挿通部に所定の上下間隔で挿通され、下端が前記幕体の下端部に係止される昇降コードと、を具備する昇降コード巻取装置において、
前記ヘッドレールには、前記巻取ドラムに対向する位置に、巻取ドラムの巻取幅に対応する長さを有する細長のガイド開口が設けられ、
このガイド開口には、その長手方向に沿って移動自在の移動駒が係合され、
前記昇降コードは、前記巻取ドラムの一端側から前記移動駒を自由に貫通して前記幕体に沿って下方へ伸びるように配され、
前記ヘッドレールが、前後に第１および第２の２つの前記幕体を係止するための前壁と後壁とを有し、
前記昇降コードが、前記第１の幕体に係止される第１の昇降コードと、前記第２の幕体に係止される第２の昇降コードとからなり、
前記巻取ドラムが、前記ヘッドレール内の前部にされる第１の巻取ドラムと、後部に支持される第２の巻取ドラムとからなり、第１の巻取ドラムには、前記第１の昇降コードの上端が係止され、第２の巻取ドラムには、前記第２の昇降コードの上端が係止され、
前記ガイド開口が、第１のガイド開口と第２のガイド開口とからなり、第１のガイド開口は、前記第１の巻取ドラムに対向して下方に開放する前記ヘッドレールに設けられ、第２のガイド開口は、前記第２の巻取ドラムに対向して、前記第２の幕体の上方において後方に開放するように前記ヘッドレールに設けられ、
前記移動駒が、前記第１のガイド開口に係合する第１の移動駒と、前記第２のガイド開口に係合する第２の移動駒とからなり、
前記第１の昇降コードは、前記第１の巻取ドラムの一端側から前記第１の移動駒を自由に貫通して前記第１の幕体の後面に沿って下方へ伸びるように配され、
前記第２の昇降コードは、前記第２の巻取ドラムの一端側から前記第２の移動駒を自由に貫通して前記第２の幕体の後面に沿って下方へ伸びるように配され、
前記第１および第２の巻取ドラムの回転により当該巻取ドラムに、それの一端側から他端側へ向かって隙間なく順次巻き取られる前記第１および第２の昇降コードの巻き位置の移動に応じて、前記第１および第２の移動駒が前記第１および第２のガイド開口に沿って前記第１および第２の巻取ドラムの他端まで移動することを特徴とすることを特徴とする幕体の昇降コード巻取装置。
【発明の詳細な説明】
【技術分野】
【０００１】
この発明は、ヘッドレール内の巻取ドラムから垂下する昇降コードの昇降操作によって、ヘッドレールに上端が係止された幕体を昇降させるローマンシェードやその他各種のブラインドに用いられる昇降コードの巻取装置に関する。
【背景技術】
【０００２】
従来、巻取ドラムの軸線方向の運動なしにコードの均等巻取を行うことができるブラインドのサシペンションコード（昇降コード）の巻取装置が知られている（例えば特許文献１参照）。この装置は、フレームに並進運動はしないように固定された巻取ドラムと、コードをオーバラップすることなく均等な巻線に巻回せしめる手段とを備える。この手段は巻取ドラム上に形成されるねじ条と係合するナットとコードをフレームへの入口で案内する手段とより成る。ナットはドラムに固定されるコード端部と案内手段との間を移動する。
【特許文献１】特開平８−２３２５６０号公報
【発明の開示】
【発明が解決しようとする課題】
【０００３】
上記従来の昇降コードの巻取装置においては、巻取ドラム上への一重の巻取しかできない。昇降コードの長さに対して巻取ドラムの直径と軸線方向の長さが十分に大きくとれない場合には、巻取ドラム上への一重の巻取のみでは、昇降コードを完全に巻き取ることができない。
したがって、この出願に係る発明は、巻取ドラムの軸線方向運動なしに、巻取ドラム上へ昇降コードを軸線方向に往復させて二重以上に、しかも隙間なく巻き取ることができる昇降コードの巻取装置を提供することを課題としている。
【課題を解決するための手段】
【０００４】
上記課題を解決するため、この出願に係る発明においては、ヘッドレール２に細長のガイド開口１４ａを設け、このガイド開口１４ａにその長手方向に沿って移動自在の移動駒１６を係合させ、昇降コード６は、巻取ドラム３の一端側から移動駒１６を自由に貫通して幕体Ｃ１に沿って下方へ伸びるように配して昇降コード巻取装置１を構成した。
【発明の効果】
【０００５】
この出願に係る発明によれば、巻取ドラム３の回転により、昇降コード６は当該巻取ドラム３に、それの一端側から他端側へ、他端側から一端側へと隙間なく順次二重以上に巻き取られる。この昇降コード６の巻き位置の移動に応じて、移動駒１６がガイド開口１４ａに沿って巻取ドラム３の他端、すなわちガイド開口１４ａの一端から他端まで移動する。その後、昇降コード６の巻き位置と共に移動駒１６が折り返して、ガイド開口１４ａの一端側へ移動し、昇降コード６は巻取ドラム３の一端側へ向かって隙間なく二重に巻き取られる。移動駒１６が往復を繰り返せば、昇降コード６は巻取ドラム３上に二重以上に巻き取られる。したがって、比較的小型の巻取ドラム３で、より長い昇降コード６を巻き取ることができるという効果を有する。
【発明を実施するための最良の形態】
【０００６】
図面を参照してこの発明の実施の形態を説明する。図１は幕体の裏面側から見た昇降コード巻取装置の正面図、図２は昇降コード巻取装置の底面図、図３は図１におけるIII−III断面図、図４は昇降コード巻取装置の一部の概略的斜視図、図５は昇降コード巻取装置の動作の過程を示す説明図である。
【０００７】
図示の実施形態は、本発明の昇降コード巻取装置１を二重幕体型のローマンシェードに適用したものである。昇降コード巻取装置１は、ヘッドレール２と、巻取ドラム３，４と、操作手段５と、昇降コード６，７とを具備する。
【０００８】
ヘッドレール２は、水平方向に延長するように窓枠の上縁等に設置され、幕体Ｃ１，Ｃ２の上端が係止される。図示の実施形態においては、ヘッドレール２の前方の壁２ａに第１の幕体Ｃ１の上縁が、後方の壁２ｂに第２の幕体Ｃ２の上縁が係止される。ここで、前方とは室内側、後方とは窓側を意味する。
【０００９】
ヘッドレール２内には、長手方向に前後２本の回転軸８，９が、互いに平行に架設され、これらの回転軸８，９に、それぞれ軸線方向に所定間隔を置いて複数の巻取ドラム３，４が固着される。すなわち、前方の回転軸８に第１の巻取ドラム３が軸線方向に所定間隔を置いて複数取り付けられ、また後方の回転軸９に第２の巻取ドラム４が軸線方向に所定間隔を置いて複数取り付けられる。回転軸８，９は、一端側に設けられた操作手段５に連結され、チェーン１０，１１を引くことにより回転し、一体に巻取ドラム３，４を回転させることができる。
【００１０】
巻取ドラム３，４は、枠体１２，１３により、回転軸８，９に対して軸線方向へ移動できないように、ヘッドレール２に支持される。巻取ドラム３には、その軸線方向一端側に第１の昇降コード６の上端が係止され、巻取ドラム４には、その軸線方向一端側に第２の昇降コード７の上端が係止される。巻取ドラム３，４は、それぞれ軸線方向両端に、鍔３ａ・３ｂ，４ａ・４ｂを有する。
【００１１】
第１の昇降コード６は、第１の幕体Ｃ１の裏面側に沿って下降し、図示しない下端において第１の幕体Ｃ１の下端に係止される。第２の昇降コード７は、第２の幕体Ｃ２の裏面側に沿って下降し、図示しない下端において第２の幕体Ｃ２の下端に係止される。図示しないが、各幕体Ｃ１，Ｃ２の裏面側には、昇降コード６，７を挿通させるための複数のリングが上下方向に所定の相互間隔を置いて複数係止され、各幕体Ｃ１，Ｃ２は、リングの位置でジグザクに折れ曲がりながら昇降コード６，７によって引き上げられる。
【００１２】
ヘッドレール２には、巻取ドラム３，４に対向する位置に、第１および第２のガイド部材１４，１５が設けられる。ガイド部材１４，１５は、それぞれ巻取ドラム３，４の巻取幅に対応する長さの細長のガイド開口１４ａ，１５ａを有する。このガイド開口１４ａ，１５ａには、それぞれその長手方向に沿って移動自在のリング状の移動駒１６，１７が係合される。第１のガイド部材１４は、ヘッドレール２の下部に設けられ、ガイド開口１４ａが下方に開放する。第２のガイド部材１５は、ヘッドレール２の後壁２ｂに設けられ、ガイド開口１５ａが後方に開放する。ガイド部材１４，１５の取付位置は、図示の実施形態に限定されるものではなく、理論上、巻取ドラム３，４に対向した、ヘッドレール２の軸周りの任意の角度位置に取り付けることができる。
【００１３】
昇降コード６は、第１のガイド部材１４の移動駒１６の孔１６ａを下方へ自由に貫通して第１の幕体Ｃ１に沿って下方へ伸び、昇降コード７は、第２のガイド部材１５の移動駒１７の孔１７ａを前方へ自由に貫通して屈折し、第２の幕体Ｃ２に沿って下方へ伸びる。このため、昇降コード７は、幕体Ｃ２を貫通させることなく、それの後方へ配置することができる。
【００１４】
操作チェーン１０，１１の操作により、操作手段５、回転軸８，９を介して巻取ドラム３，４が巻取方向に回転すると、図５（ａ），（ｂ）に示すように、昇降コード６，７は、順次先に巻かれた部位の隣に接触するように、巻取ドラム３，４の一端側から他端側へ向かって隙間なく巻き取られる。昇降コード６，７の巻き位置の移動に応じて、移動駒１５，１７がガイド開口１４ａ，１５ａに沿ってその一端から他端側へ移動する。図５（ｃ）に示すように、移動駒１５，１７がガイド開口１４ａ，１５ａの他端まで移動すると、いったん停止する。このとき、昇降コード６，７の巻き位置も巻取ドラム３，４の他端に達している。そのまま巻取ドラム３，４が巻取方向に回転すると、昇降コード６，７は、鍔３ｂ，４ｂに押され、折り返して巻き重なり、図５（ｄ）に示すように、移動駒１５，１７を一端側へ移動させながら、一端側へ向かって連続的に隙間なく二重に巻き取られることになる。同様に、昇降コード６，７が、鍔３ａ，４ａに達すると、折り返して他端側へ向かう。この往復を繰り返せば、昇降コード６，７は、巻取ドラム３，４上に二重以上に巻き取られる。
なお、本発明は、巻取ドラム３，４上に、一重にのみ昇降コード６，７が巻き取られる二重幕タイプのローマンシェード等にも適用することができる。
【産業上の利用可能性】
【００１５】
この発明は、ローマンシェードの昇降コードを巻き上げるための装置として適用することができる。
【図面の簡単な説明】
【００１６】
【図１】幕体の裏面側から見た昇降コード巻取装置の正面図である。
【図２】昇降コード巻取装置の底面図である。
【図３】図１におけるIII−III断面図である。
【図４】昇降コード巻取装置の一部の概略的斜視図である。
【図５】昇降コード巻取装置の動作の過程を示す説明図である。
【符号の説明】
【００１７】
１      昇降コード巻取装置
２      ヘッドレール
２ａ    前方の壁
２ｂ    後方の壁
３      巻取ドラム
３ａ    鍔
３ｂ    鍔
４      巻取ドラム
４ａ    鍔
４ｂ    鍔
５      操作手段
６      昇降コード
７      昇降コード
８      回転軸
９      回転軸
１０    チェーン
１１    チェーン
１２    枠体
１３    枠体
１４    ガイド部材
１４ａ  ガイド開口
１５    ガイド部材
１５ａ  ガイド開口
１６    移動駒
１６ａ  孔
１７    移動駒
１７ａ  孔
Ｃ１    幕体
Ｃ２    幕体
【図１】
2007285009.tif 000003
【図２】
2007285009.tif 000004
【図３】
2007285009.tif 000005
【図４】
2007285009.tif 000006
【図５】
2007285009.tif 000007